(57)【要約】  養殖を支えるための保管およびメンテナンス設備を有する、鉛直方向支柱を有する半潜水型プラットフォームを用いた外洋養殖システムおよび方法を提供する。システムは、半潜水型プラットフォームの対応する鉛直方向支柱を収容するように構成された形状を有する鉛直方向空洞を有する、養殖槽の剛性組立品を備える。剛性組立品は、（ｉ）剛性組立品が鉛直方向空洞において対応する鉛直方向支柱を取り囲み剛性組立品の水平方向の移動を制限する上昇位置、および（ｉｉ）剛性組立品が対応する鉛直方向支柱の下方に位置する降下位置の動作位置において、半潜水型プラットフォームに機械的に接続されている。システムはさらに、機械的位置制御機構を制御して、特定の荒海の状態が発生すると、または必要に応じて、剛性組立品を降下させるように、かつ、特定の状態が発生すると、剛性組立品を上昇させるように構成された制御ユニットを備える。
2019535243.tif 000002
【特許請求の範囲】
【請求項１】
養殖を支えるための保管およびメンテナンス設備を有し、複数の鉛直方向支柱を含む半潜水型プラットフォームと、
前記半潜水型プラットフォームの対応する鉛直方向支柱を収容するように構成された形状を有する複数の鉛直方向空洞を含む、養殖槽の剛性組立品と、
前記剛性組立品を前記半潜水型プラットフォームに機械的に接続するように、かつ、両者の間の相対位置を制御して、
前記剛性組立品が前記複数の鉛直方向空洞において前記対応する鉛直方向支柱を取り囲む上昇位置、および
前記剛性組立品が前記対応する鉛直方向支柱の下方に位置する降下位置、
の少なくとも２つの動作位置を設けるように構成された機械的位置制御機構と、
前記機械的位置制御機構を制御して、特定の状態が発生すると前記剛性組立品を前記上昇位置から前記降下位置に移動させるように、かつ、特定の状態が発生すると前記剛性組立品を前記降下位置から前記上昇位置に移動させるように構成された制御ユニットとを備える、外洋養殖システム。
【請求項２】
前記剛性組立品を前記降下位置から前記上昇位置に上昇させると、前記剛性組立品の前記複数の鉛直方向空洞の上部開口部を前記半潜水型プラットフォームの前記対応する鉛直方向支柱の底部に向けて案内するように構成された案内構造物をさらに備える、請求項１に記載の外洋養殖システム。
【請求項３】
前記機械的位置制御機構は、前記剛性組立品を前記半潜水型プラットフォーム上の少なくとも１つのモータユニットに接続する複数のチェーンを含み、前記少なくとも１つのモータユニットは、前記複数のチェーンを解除および回収するように構成され、前記少なくとも１つのモータユニットは、前記制御ユニットによって制御される、請求項１または２に記載の外洋養殖システム。
【請求項４】
前記複数のチェーンは、前記少なくとも１つのモータユニットで前記複数のチェーンを引っ張ることによって前記剛性組立品を前記降下位置から前記上昇位置に上昇させると、前記剛性組立品の前記複数の鉛直方向空洞の上部開口部を前記半潜水型プラットフォームの前記対応する鉛直方向支柱の底部に対して位置決めするように選択された対応する複数の取付位置において、前記剛性組立品に接続されている、請求項３に記載の外洋養殖システム。
【請求項５】
前記複数のチェーンは、前記半潜水型プラットフォームの前記対応する鉛直方向支柱の少なくとも下側部分に沿って案内される、請求項３または４に記載の外洋養殖システム。
【請求項６】
前記剛性組立品は、前記養殖槽を画成する複数の槽グリッドを収容するように構成された複数のレールを含む、請求項１〜５のいずれか１項に記載の外洋養殖システム。
【請求項７】
前記複数のレールのうちの少なくとも一部は、前記養殖槽を解体することなく対応する槽グリッドの取り替えを可能にするように構成されたダブルレールである、請求項６に記載の外洋養殖システム。
【請求項８】
前記養殖槽の少なくとも一部は、仕切り位置決め装置によって前記養殖槽に接続され前記制御ユニットによって制御される鉛直方向可動仕切りを含む、請求項１〜７のいずれか１項に記載の外洋養殖システム。
【請求項９】
前記剛性組立品は、前記制御ユニットによって制御される浮力機構を含む、請求項１〜８のいずれか１項に記載の外洋養殖システム。
【請求項１０】
外洋養殖方法であって、
養殖槽の剛性組立品を、養殖を支えるための保管およびメンテナンス設備を有し複数の鉛直方向支柱を含む半潜水型プラットフォームに機械的に接続することを備え、
前記剛性組立品は、前記半潜水型プラットフォームの対応する鉛直方向支柱を収容するように形成された複数の鉛直方向空洞を含むように構成されており、前記方法はさらに、
前記剛性組立品と前記半潜水型プラットフォームとの間に、
前記剛性組立品が前記複数の鉛直方向空洞において前記対応する鉛直方向支柱を取り囲む上昇位置、および
前記剛性組立品が前記対応する鉛直方向支柱の下方に位置する降下位置、
の少なくとも２つの動作位置を含む制御可能な相対位置を設けるように、前記機械的な接続を構成することと、
前記剛性組立品と前記半潜水型プラットフォームとの間の前記相対位置を制御して、特定の状態が発生すると前記剛性組立品を前記上昇位置から前記降下位置まで移動させ、特定の条件が発生すると前記剛性組立品を前記降下位置から前記上昇位置まで移動させることとを備える、外洋養殖方法。
【請求項１１】
前記剛性組立品を前記降下位置から前記上昇位置に上昇させると、前記剛性組立品の前記複数の鉛直方向空洞の上部開口部を前記半潜水型プラットフォームの前記対応する鉛直方向支柱の底部に向けて案内することをさらに備える、請求項１０に記載の外洋養殖方法。
【請求項１２】
前記剛性組立品を前記半潜水型プラットフォーム上の少なくとも１つのモータユニットに接続する複数のチェーンを含むように前記機械的な接続を構成することと、制御可能に前記複数のチェーンの解除および回収を行うように前記少なくとも１つのモータユニットを構成することとをさらに備える、請求項１０または１１に記載の外洋養殖方法。
【請求項１３】
前記少なくとも１つのモータユニットで前記複数のチェーンを引っ張ることによって前記剛性組立品を前記降下位置から前記上昇位置に上昇させると、前記剛性組立品の前記複数の鉛直方向空洞の上部開口部を前記半潜水型プラットフォームの前記対応する鉛直方向支柱の底部に対して位置決めするように選択された対応する複数の取付位置において、前記複数のチェーンを前記剛性組立品に接続することをさらに備える、請求項１２に記載の外洋養殖方法。
【請求項１４】
前記複数のチェーンを、前記半潜水型プラットフォームの前記対応する鉛直方向支柱の少なくとも下側部分に沿って案内することをさらに備える、請求項１２または１３に記載の外洋養殖方法。
【請求項１５】
前記養殖槽を画成する複数の槽グリッドを収容するように構成された複数のレールを有するように前記剛性組立品を構成することをさらに備える、請求項１０〜１４のいずれか１項に記載の外洋養殖方法。
【請求項１６】
前記槽を解体することなく、対応する槽グリッドの取り替えを可能にするダブルレールとして前記複数のレールのうちの少なくとも一部を構成することをさらに備える、請求項１５に記載の外洋養殖方法。
【請求項１７】
槽の体積を制御するために前記養殖槽の少なくとも一部における鉛直方向可動仕切りを構成することをさらに備える、請求項１０〜１６のいずれか１項に記載の外洋養殖方法。
【発明の詳細な説明】
【技術分野】
【０００１】
発明の背景
１．技術分野
本発明は、養殖分野に関し、特に、外洋養殖に関する。
【背景技術】
【０００２】
２．関連技術の説明
外洋養殖は拡大しているが、より伝統的な沿岸養殖と比較すると、より荒い海の状態に対応しなくてはならない。
【０００３】
ここにその全体が引用により援用される英国特許第２，５０１，８７９号明細書では、外洋養殖システムが開示されている。このシステムは、網で覆われた剛性養殖槽が海面状態に従って移動可動に接続され制御可能に位置決めされている、取り付けられた枠組みを用いて養殖を支えるために、保管およびメンテナンス設備を有する半潜水型プラットフォームを利用している。これらの槽は、養殖物を保護するために枠組みに対して上方または下方に移動可能であり、メンテナンスおよび給餌はすべて、プラットフォームに乗った乗組員によって行われる。
【発明の概要】
【０００４】
以下は、発明の最初の理解を提供する簡潔な概要である。この概要は、必ずしも重要な要素を特定するものでもなければ発明の範囲を特定するものでもなく、以下の説明の導入への役割を果たすに過ぎない。
【０００５】
本発明のある態様は、外洋養殖システムを提供する。この外洋養殖システムは、養殖を支えるための保管およびメンテナンス設備を有し、複数の鉛直方向支柱を含む半潜水型プラットフォームと、半潜水型プラットフォームの対応する鉛直方向支柱を収容するように構成された形状を有する複数の鉛直方向空洞を含む、養殖槽の剛性組立品と、剛性組立品を半潜水型プラットフォームに機械的に接続するように、かつ、両者の間の相対位置を制御して、（ｉ）剛性組立品が鉛直方向空洞において対応する鉛直方向支柱を取り囲み剛性組立品の水平方向の移動を制限する上昇位置、および、（ｉｉ）剛性組立品が対応する鉛直方向支柱の下方に位置する降下位置、の少なくとも２つの動作位置を設けるように構成された機械的位置制御機構と、機械的位置制御機構を制御して、特定の海の状態が発生すると、または必要に応じて、剛性組立品を上昇位置から降下位置に移動させるように、かつ、特定の状態が発生すると、剛性組立品を降下位置から上昇位置に移動させるように構成された制御ユニットとを備える。
【０００６】
本発明のこれらの、追加的な、および／または他の局面および／または利点は、以下の詳細な説明において示される、つまり、詳細な説明から推定可能である、および／または、本発明の実施によって理解できる。
【０００７】
発明の実施形態のより良い理解のために、および、これらがどのように実施されるかを示すために、以下で、あくまでも例示として添付の図面を参照する。図中、同一の参照番号は、全図面を通して対応する要素または部分を示す。
【図面の簡単な説明】
【０００８】
【図１Ａ】発明の一部の実施形態に係る、外洋養殖システムのハイレベル概略図である。
【図１Ｂ】発明の一部の実施形態に係る、外洋養殖システムのハイレベル概略図である。
【図１Ｃ】発明の一部の実施形態に係る、外洋養殖システムのハイレベル概略図である。
【図１Ｄ】発明の一部の実施形態に係る、外洋養殖システムのハイレベル概略図である。
【図１Ｅ】発明の一部の実施形態に係る、外洋養殖システムのハイレベル概略図である。
【図１Ｆ】発明の一部の実施形態に係る、外洋養殖システムのハイレベル概略図である。
【図１Ｇ】発明の一部の実施形態に係る、外洋養殖システムのハイレベル概略図である。
【図２Ａ】発明の一部の実施形態に係る、外洋養殖システムのハイレベル概略ブロック図である。
【図２Ｂ】発明の一部の実施形態に係る、外洋養殖システムの位置および考えられる移動を示すハイレベル概略図である。
【図２Ｃ】発明の一部の実施形態に係る、外洋養殖システムの位置および考えられる移動を示すハイレベル概略図である。
【図３Ａ】発明の一部の実施形態に係る、外洋養殖システムにおける機械的位置制御機構を示すハイレベル概略図である。
【図３Ｂ】発明の一部の実施形態に係る、外洋養殖システムにおける機械的位置制御機構を示すハイレベル概略図である。
【図３Ｃ】発明の一部の実施形態に係る、外洋養殖システムにおける機械的位置制御機構を示すハイレベル概略図である。
【図３Ｄ】発明の一部の実施形態に係る、外洋養殖システムにおける機械的位置制御機構を示すハイレベル概略図である。
【図３Ｅ】発明の一部の実施形態に係る、外洋養殖システムにおける機械的位置制御機構を示すハイレベル概略図である。
【図３Ｆ】発明の一部の実施形態に係る、外洋養殖システムにおける機械的位置制御機構を示すハイレベル概略図である。
【図３Ｇ】発明の一部の実施形態に係る、外洋養殖システムにおける機械的位置制御機構を示すハイレベル概略図である。
【図３Ｈ】発明の一部の実施形態に係る、外洋養殖システムにおける機械的位置制御機構を示すハイレベル概略図である。
【図３Ｉ】発明の一部の実施形態に係る、外洋養殖システムにおける機械的位置制御機構を示すハイレベル概略図である。
【図３Ｊ】発明の一部の実施形態に係る、外洋養殖システムにおける機械的位置制御機構を示すハイレベル概略図である。
【図３Ｋ】発明の一部の実施形態に係る、外洋養殖システムにおける機械的位置制御機構を示すハイレベル概略図である。
【図３Ｌ】発明の一部の実施形態に係る、外洋養殖システムにおける機械的位置制御機構を示すハイレベル概略図である。
【図３Ｍ】発明の一部の実施形態に係る、外洋養殖システムにおける機械的位置制御機構を示すハイレベル概略図である。
【図３Ｎ】発明の一部の実施形態に係る、外洋養殖システムにおける機械的位置制御機構を示すハイレベル概略図である。
【図３Ｏ】発明の一部の実施形態に係る、外洋養殖システムにおける機械的位置制御機構を示すハイレベル概略図である。
【図４Ａ】発明の一部の実施形態に係る、剛性槽組立品における槽構成を示すハイレベル概略図である。
【図４Ｂ】発明の一部の実施形態に係る、剛性槽組立品における槽構成を示すハイレベル概略図である。
【図４Ｃ】発明の一部の実施形態に係る、剛性槽組立品における槽構成を示すハイレベル概略図である。
【図４Ｄ】発明の一部の実施形態に係る、剛性槽組立品における槽構成を示すハイレベル概略図である。
【図５】発明の一部の実施形態に係る、外洋養殖システムにおいて魚介類を扱うために使用される可動槽床のハイレベル概略図である。
【図６】発明の一部の実施形態に係る、外洋養殖方法を示すハイレベルフローチャートである。
【発明を実施するための形態】
【０００９】
発明の詳細な説明
本発明の様々な側面について以下で説明する。説明を目的として、本発明の十分な理解を提供するために、具体的な構成および詳細について説明する。しかしながら、当業者には、ここで提示される具体的な詳細がなくても本発明は実施可能であることが明らかである。さらに、本発明が不明瞭になるのを避けるために、周知の特徴を省略または簡略化してもよい。図面を具体的に参照すると、示される事項は例であり本発明を例示的に説明することのみを目的としており、最も有効と信じられている、発明の原則および概念的な側面を容易に理解するためであると思われるものを提供するために示されていることが強調される。この点について、発明の基礎的な理解に必要となる以上に発明の構造的な詳細を詳しく示そうとはしておらず、図面と共になされる説明によって、発明の様々な形態が実際に具現化され得る態様が当業者に明らかになる。
【００１０】
発明の少なくとも１つの実施形態を詳細に説明する前に、その適用について、以下の説明または図面で示される構成要素の構造および配置の詳細に本発明が限定されるわけではないことを理解されたい。発明は、様々な方法で実践または実行可能である他の実施形態、および開示された実施形態の組合せに適用可能である。また、本明細書で用いられる表現および用語は、説明のためのものであって、限定的なものとしてみなされるべきではないことを理解されたい。
【００１１】
特に指示がない限り、以下の説明から明らかになるように、明細書の説明において、「処理（processing）」、「計算（computing）」、「算出（calculating）」、「決定（determining）」、「向上（enhancing）」などの用語を用いる説明は、コンピュータまたはコンピューティングシステム、コンピューティングシステムのレジスタおよび／またはメモリ内の物理的な、たとえば、電子的な量として表示されるデータを処理する、もしくはこれらをコンピューティングシステムのメモリ、レジスタ、またはその他のこのような情報記憶、送信もしくは表示デバイス内の物理的な量として同様に表示される他のデータに変換する同様の電子コンピューティングデバイスの動作および／またはプロセスを表すと理解される。開示されるモジュールまたはユニットはいずれも、少なくとも部分的にコンピュータプロセッサによって実現可能である。
【００１２】
図１Ａ〜図１Ｇは、発明の一部の実施形態に係る外洋養殖システム１００のハイレベル概略図である。図１Ａおよび図１Ｂは斜視図であり、図１Ｃおよび図１Ｄは側面図であり、図１Ｅはシステム１００の支柱および槽の上面図であり、図１Ｆおよび図１Ｇはこれらの概略図であり、図１Ｆは海水面よりも低い水平断面の上面図であり、図１Ｇは斜視図である。図１Ａ〜図１Ｇの要素は、任意の動作可能な組合せが可能であり、特定の図に示されているが他の図では示されていない特定の要素の図示は、説明を目的としたものに過ぎず、限定的なものではない。図２Ａは、発明の一部の実施形態に係る外洋養殖システム１００のハイレベル概略ブロック図であり、図２Ｂおよび図２Ｃは、発明の一部の実施形態に係る外洋養殖システム１００の位置および可能な移動を示すハイレベル概略図である。
【００１３】
外洋養殖システム１００は、海岸からかなり離れて動作するように、かつ、外洋での養殖の連続動作を可能にするように構成されている。外洋養殖システム１００は、海水面９０よりも部分的に下方に位置する鉛直方向支柱１１５によって浮かぶ半潜水型プラットフォーム１１０を備える（鉛直方向支柱１１５は、防水ポンツーンとして構成されてもよい）。半潜水型プラットフォーム１００は、養殖を支えるための保管およびメンテナンス設備を有する操作デッキ１１１と、複数の鉛直方向支柱１１５とを備える。操作デッキ１１１は、海水面９０の上方の高い位置に（１１６）に安定して設けられており、荒海の状態下で波の動きの影響を受けない、またはほとんど受けない。外洋養殖システム１００は、海において長い操業期間に耐えるように構成されている。
【００１４】
外洋養殖システム１００はさらに、養殖槽１２０Ａ、１２０Ｂなどの剛性組立品１２０を備える（図４Ａ、図４Ｄを参照）。剛性組立品１２０は、浮力機構１２７の少なくとも一部を備えてもよい、または、これから独立していてもよい。剛性組立品１２０は、半潜水型プラットフォーム１１０の対応する鉛直方向支柱１１５を収容するように構成された形状を有する複数の鉛直方向空洞１２１を有する（たとえば、図１Ａ、図１Ｆ、図３Ａを参照）。なお、鉛直方向支柱１１５は、海水面９０と交差して剛性槽組立品１２０を収容する半潜水型プラットフォーム１１０の任意の構成要素として理解される。
【００１５】
養殖槽１２０Ａ、１２０Ｂなどの剛性組立品１２０の寸法および形状は制限されるものではなく、特に、剛性組立品１２０は、半潜水型プラットフォーム１１０の領域を越えて延在して多数の槽を支持可能であり、数十メートルの深さに達することもある。槽自体は幅よりも高さの方が大きくてもよい、高さよりも幅の方が大きくてもよい、または、同じような高さおよび幅を有していてもよい。槽は、魚介類、貝類、観賞植物類などのさまざまな種類の養殖に適応可能である。槽は、ネット（図示せず）で覆われて槽内の養殖された生物を維持し得る。図１Ｅに示すように、剛性槽組立品１２０は、プラットフォーム１００の側面を越えて延在可能であり、必要とされる槽の体積に従って水平方向および鉛直方向に延在可能である。剛性槽組立品１２０は、プラットフォーム１１０の任意の海水面交差構造物を含み得る。ここでは、これらの構造物は、一般に非制限的な態様で鉛直方向支柱であるとして関連がある。
【００１６】
浮力機構１２７（たとえば、浮き、または、膨張可能なチューブ、コンテナ、もしくは、制御ユニット１６０の制御の下で浮力を変更可能な他の要素などの浮力機構）は、様々な位置で剛性槽組立品１２０に接続可能であり、とりわけ剛性槽組立品１２０の上昇および降下中に剛性槽組立品１２０に浮力を提供し、剛性槽組立品１２０の浮力を制御する。
【００１７】
外洋養殖システム１００は、機械的位置制御機構１３０（図１Ｂ、図１Ｄを参照）を備える。機械的位置制御機構１３０は、機械的に剛性組立品１２０を半潜水型プラットフォーム１１０に接続して剛性組立品１２０の水平方向の移動を制限するように、かつ、これらの間の相対位置を制御して少なくとも２つの動作位置を設けるように構成されている。これらの動作位置とは、剛性組立品１２０が鉛直方向空洞１２１において対応する鉛直方向支柱１１５を取り囲む上昇位置１０１（図１Ａ、図１Ｃ）、および、剛性組立品１２０が対応する鉛直方向支柱１１５よりも下方に位置する降下位置１０２（図１Ｂ、図１Ｄ）である。機械的位置制御機構１３０は、剛性組立品１２０を上昇または降下させて海水面に対して槽の必要とされる位置を維持するように構成されている。機械的位置制御機構１３０は、上昇位置１０１および降下位置１０２の各々内の剛性組立品１２０の深さの調節１０１Ａ、１０２Ａを可能にして槽の深さの微調整が可能になるように構成され得る。なお、操作デッキ１１１と海水面９０との間の高さ１１６が剛性組立品１２０の上昇位置１０１および降下位置１０２で維持され、この高さ１１６によって、操作デッキ１１１が安定して位置し荒海の状態下で波の動きの影響を受けない、またはほぼ受けないようにしている。
【００１８】
特定の実施形態では、槽１２０の部分は、図１Ｆに模式的に示されるように、支持体１２０Ａによって強化され得る。鉛直方向空洞１２１は、それらの外周上の１つまたは２つの地点で開口し得る、または、槽１２０によって完全に取り囲まれ得る。鉛直方向空洞１２１は、鉛直方向支柱１１５の断面よりもやや大きくなるように設計可能であり、機械的位置制御機構１３０は、鉛直方向空洞１２１の体積内で鉛直方向支柱１１５を維持するように、かつ、槽を上昇または降下させる間、および／または、外洋養殖システム１００が通常通り動作している間に鉛直方向空洞１２１における槽１２０の内側側面１２０Ｂが鉛直方向支柱１１５に接触するのを防ぐように構成可能である。以下で詳細に説明するように、案内要素１３２、１４７Ａは、鉛直方向空洞１２１の鉛直方向支柱１１５と内側側面１２０Ｂとのどちらか一方または双方に設定されて、衝撃からどちらか一方または双方を保護可能、および／または、それらの相対移動を案内可能である。
【００１９】
特定の実施形態では、槽１２０は、少なくとも部分的に可撓性を有し得、可撓性ネット１２０Ｄなどで構成可能であり、図１Ｇに概略図、側面図、および上面図で模式的に示すように、ならびに、図２Ｃに概略図として模式的に示すように、１つ以上の剛性槽部１２０Ｃ、１２０Ｅによって支えることができる。機械的位置制御機構１３０は、剛性槽部１２０Ｃ、１２０Ｅのうちの少なくとも１つに接続されて槽１２０を上昇および降下可能である。
【００２０】
外洋養殖システム１００はさらに、機械的位置制御機構１３０を制御して、特定の荒海の状態または操作上の要求仕様が発生すると剛性組立品１２０を上昇位置１０１から降下位置１０２に移動させるように、かつ、特定の状態が発生すると剛性組立品１２０を降下位置１０２から上昇位置１０１に移動させるように構成された制御ユニット１６０を備える（図２Ａ〜図２Ｃ）。制御ユニット１６０は、機械的位置制御機構１３０を制御するように、かつ、海の状態または他の操作上の要求仕様に従って海水面に対する剛性組立品１２０の深さを決定するように配置可能である。制御ユニット１６０は、気象センサを含み得、気象センサからの測定値に基づいて、測定された、および予想される海の状態に対して剛性組立品１２０の最適な深さを自動的に決定するように配置されている。
【００２１】
たとえば、穏やかな海の状態での通常の動作を上昇位置１０１で実施可能である一方で、嵐（たとえば、荒海、高い波、強い海流など）の間、剛性組立品１２０は位置１０２に降下可能である。この降下位置では、剛性組立品１２０は依然として半潜水型プラットフォーム１１０に接続されているものの、海においてより深い位置で維持され、荒海または強い海流の状態が発生すると、たとえば強い海流に応じて水平方向の移動１０２Ｂを行って、剛性組立品１２０上におよびこれによって加えられる強い力によるプラットフォーム１１０への損傷を避ける。槽の降下によって、槽内の魚介類への損傷を低減または防止し、かつ、鉛直方向支柱１１５と槽組立品１２０との間の機械的な力の印可を防止する。機械的位置制御機構１３０は、移動１０２Ｂの水平方向の自由をある程度認める一方で、半潜水型プラットフォーム１１０に接続された剛性組立品１２０を維持するだけの強度を有するように構成されている。海が穏やかな期間は、槽組立品１２０は、成長した生物の要求に応じて上昇位置１０１に位置し得る。開示された機構および制御パターンによって、養殖されている魚介類または他の生物を保護するが、これは比較的小さな介入努力しか必要としない。つまり、槽組立品１２０は（上昇位置１０１において）水平方向に移動される必要はなく、槽の保護または移動のために付加的な容器および人員を必要としない。さらに、海が変化しても海岸からの介入は必要ではないため、制御ユニット１６０の反応時間は比較的短く、最も信頼性のあるデータを提供する位置で（かつ、海岸ではない場所で）海の状態が測定される。
【００２２】
剛性槽組立品１２０の浮力制御装置を有する浮き１２７は、たとえば浮きユニット１３７として、機械的位置制御機構１３０の一部であり得、剛性槽組立品１２０の上昇および降下を支えるために制御ユニット１６０によって制御可能である。剛性槽組立品１２０は、浮き１２７が半潜水型プラットフォーム１１０の浮力から独立して、および／または、これと関連して制御可能な浮力機構を提供する状態で、自ら半潜水可能である。特定の実施形態では、半潜水型プラットフォーム１１０および槽１２０は、機械的位置制御機構１３０によって関連付けられた独立した半潜水型サブシステムであり得、鉛直方向支柱１１５および浮き１２７は、それぞれ独立した（可能であれば、それらの浮力を制御する１つ以上の制御ユニットを有する）浮力機構を提供している。
【００２３】
外洋養殖システム１００はさらに、鉛直方向支柱１１５が鉛直方向空洞１２１に係合している間に降下位置１０２から上昇位置１０１に移動するときに、剛性組立品１２０を案内するように構成された案内構造物１６５を備え得る。案内構造物１６５は、機械的位置制御機構１３０と少なくとも部分的に一体化可能である、すなわち、機械的位置制御機構１３０は、剛性組立品１２０を降下位置１０２から上昇位置１０１に上昇させると鉛直方向空洞１２１を鉛直方向支柱１１５のすぐ下方に少なくともほぼ適切に位置決めするように構成可能である（図２Ｂおよび図２Ｃの概略図を参照）。案内構造物１６５はさらに、槽の上昇および降下中におよび／または外洋養殖システム１００の動作中に、鉛直方向支柱１１５および／または鉛直方向空洞１２１ならびに槽１２０を保護するように構成可能である。
【００２４】
機械的位置制御機構１３０は、制御ユニット１６０の制御の下で、チェーン１４０を解除および回収するように構成された、プラットフォーム１１０上の少なくとも１つのモータ１３５に、剛性組立品１２０を接続する複数のチェーン１４０を含み得る。１つ（または複数）のモータユニット１３５は、電気によるものでもよい、水圧によるものでもよい、または、必要とされる力に適用可能ないかなる種類のものでもよい。１つ（または複数）のモータユニット１３５は、半潜水型プラットフォーム１１０に搭載された１つ（または複数）のクレーンによって置き換え可能である、および／または、補助可能である。
【００２５】
図３Ａ〜図３Ｏは、本発明の一部の実施形態に係る、外洋養殖システム１００における機械的位置制御機構１３０を示すハイレベル概略図である。機械的位置制御機構１３０は、剛性組立品１２０を、制御ユニット１６０によって制御可能に、チェーン１４０を解除および回収するように構成されたプラットフォーム１１０上の（たとえば、鉛直方向支柱１１５上の）少なくとも１つのモータユニット１３５（まさしく模式的に示される１つ（または複数）のモータ、１つ（または複数）のプーリなどを含む）に接続する複数のチェーン１４０を含み得る（図２Ｂ、図２Ｃを参照）。様々な構成の案内要素１３２、１３９（以下の非制限的な例を参照）は、鉛直方向支柱１１５および鉛直方向空洞１２１の相対運動を案内するために、かつ、様々な海の状態および動作上の要求において外洋養殖システム１００の動作中にこれらが損傷するのを防止するために使用可能である。図３Ａ〜図３Ｇの要素は、いかなる動作可能な組合せも可能であり、図１Ａ〜図１Ｇ、図２Ａ〜図２Ｃ、図４Ａ〜図４Ｄ、および図５に示す開示されたシステム構成のいずれかの文脈内で動作可能である。特定の図面には示されているが他の図面では示されていない特定の要素の図示は、説明の目的でなされたに過ぎず、制限的なものではない。
【００２６】
チェーン１４０は、１つ以上のガイド１３１、１３９によって鉛直方向支柱１１５に沿って案内可能である（図３Ｂ）。チェーン１４０は、対応する複数の取付位置１４６Ａにおいて剛性組立品１２０に接続可能であり、付加的な接続構造１４６によって安定化および支持が可能である（図３Ｃ）。取付位置１４６Ａは、チェーン１４０を１つ（または複数）のモータユニット１３５で引っ張ることによって剛性組立品１２０を降下位置１０２から上昇位置１０１まで上昇させると、剛性組立品１２０の鉛直方向空洞１２１の上部開口部を半潜水型プラットフォーム１１０の対応する鉛直方向支柱１１５の底部に対して位置決めするように選択可能である。
【００２７】
チェーン１４０は、たとえば、上部案内要素１３１および底部案内要素１３９（図３Ｂ）によって半潜水型プラットフォーム１１０の対応する鉛直方向支柱１１５の少なくとも下側部分に沿って案内されて、チェーンの移動およびチェーンによって伝達された力の方向を制御可能である。チェーン１４０は、鉛直方向支柱１１５に沿って平行に案内可能であり、接続および／または、案内部材１４４Ａ、１４４Ｂ（図３Ｄ、図３Ｅ）によって安定化され得、および／または、チェーン１４０は、鉛直方向支柱１１５に沿って一緒に案内され得、その後、剛性組立品１２０に接続する前に複数のチェーン１４０Ａ（図３Ｆ）に分割可能である。
【００２８】
外洋養殖システム１００はさらに、案内構造物１６５を備え得る（図２Ａにおいて模式的に示され、図３Ａ〜図３Ｏにおいて様々な部材、たとえば、部材１４４Ａ、１４４Ｂ、１４６などを用いて実現される）。案内構造物１６５は、剛性組立品１２０を降下位置１０２から上昇位置１０１に上昇させると、剛性組立品１２０の鉛直方向空洞１２１の上部開口部を半潜水型プラットフォーム１１０の対応する鉛直方向支柱１１５の底部に向けて案内するように構成され得る（図３Ｋの概略的な説明および図３Ａ〜図３Ｏの様々な実施形態を参照）。案内構造物１６５は、チェーン１４０を１つ（または複数）のモータユニット１３５によって上方に引っ張ると、鉛直方向空洞１２１の上部開口部を対応する鉛直方向支柱１１５の底部よりも下方の適切な位置内に至らせる態様で、幾何学的におよび印可された力に対して配置された複数の部材を含み得る（図３Ｋの概略説明図および図３Ａ〜図３Ｏの様々な実施形態を参照）。たとえば、案内構造物１６５は、チェーン１４０Ａ、チェーン１４０Ａを剛性槽組立品１２０に接続する接続構造物１４６、鉛直方向支柱１１５上の上部案内要素１３１および底部案内要素１３９ならびに縁部案内要素１４４、さらに、鉛直方向支柱１１５上におよび空洞１２１（図示せず）の内側側面上にあることもある案内要素１３２の構成を含み得る。案内要素１３２は、機械的な衝撃を吸収するように、かつ、鉛直方向の移動１０１Ａにおいて鉛直方向支柱１１５に沿って剛性槽組立品１２０を上方および下方に案内するように構成されている（図３Ｂおよび図３Ｃも参照）。案内構造物１６５は、槽１２０が上昇および降下している間に横方向に作用する力を均衡させて、支柱１１５に対する槽１２０の横方向の移動を抑制または防止し、鉛直方向空洞１２１内のやや中央に鉛直方向支柱１１５を維持し、鉛直方向支柱１１５および鉛直方向空洞１２１における槽１２０の内側側面１２０Ｂの相互に与える影響を防止するために構成され得る。
【００２９】
図３Ｅは、本発明の一部の実施形態に係る、機械的位置制御機構１３０を示す概略図である。図３Ｅは、側面図で降下位置１０２および上昇位置１０１において支柱１１５のうちの１つに位置する機械的位置制御機構１３０、ならびに、機械的位置制御機構１３０の案内要素の詳細を示す概略図である。機械的位置制御機構１３０は、（たとえば、案内要素１３９、１４４、１４４Ａによって）鉛直方向支柱１１５に沿って、たとえば、支柱１１５の縁部に沿って案内される平行なチェーン１４０を含み得る。案内要素１３９、１４４および／または１４４Ａは、チェーン１４０を安定化し機械的位置制御機構１３０の動作中にそれらの平行な構成を維持するように構成され得る。特に支柱１１５の断面図で詳細に示す１つ（または複数）の案内要素１４４Ａは、以下でより詳細に説明するように、チェーン１４０の相対位置を維持し、剛性槽組立品１２０の水平方向の移動を最小限にし、および／または、槽組立品１２０と鉛直方向支柱１１５との間の相対的な動きを最小限にするように構成可能である。平行なチェーン１４０は、確実に剛性槽組立品１２０を降下位置１０２で安定させるように、かつ、空洞１２１が支柱１１５を取り囲んでいる状態で、剛性槽組立品１２０の降下位置１０２から上昇位置１０１への上昇を簡単にするように選択された剛性槽組立品１２０に沿って、異なる高さにおいて接続構造物１４６を介して剛性槽組立品１２０に接続可能である。
【００３０】
図３Ｆは、本発明の一部の実施形態に係る、機械的位置制御機構１３０における複数のチェーン１４０の利用を説明する概略図である。一部の実施形態では、チェーン１４０は、槽１２０上に固定された複数のチェーン１４０Ａに分割可能であり、槽１２０の上昇および降下が可能であり、鉛直方向空洞１２１における鉛直方向支柱１１５の相対位置を維持可能である。ガイド１３９、１４２は、システム１００の動作中にチェーン１４０Ａの経路の案内および制御を行うように構成可能である。
【００３１】
図３Ｇ〜図３Ｊは、本発明の一部の実施形態に係る、機械的位置制御機構１３０の様々な要素を説明する概略図である。１つ以上のチェーン組立品を、鉛直方向支柱１１５の角に位置決め可能である。図３Ｇ〜図３Ｊは、鉛直方向支柱１１５のそれぞれの外側縁部に沿って位置することも可能なチェーン組立品などを例として示す図である。ガイド１３９、１４７Ａは、以下で説明するように、鉛直方向支柱１１５に沿ってチェーン１４０を案内するように、および／または、鉛直方向支柱１１５から離れた経路に沿って１つ以上のチェーン１４０Ｂを導いて槽１２０の力印可パターンを改善するように構成可能である。ガイド１３９は固定された上部板ガイドでもよく、ガイド１４７Ａは、１つ（または複数）の支持体１４７Ｂに沿って案内される可動中央板でもよい。付加的なガイド１４７Ｄを、槽１２０を上昇および降下させると１つ（または複数）のチェーン１４０Ｂの正確な動きを確実にするために使用可能であり、支持体１４７Ｂ（たとえば、Ｉビームガイド）を、機械的位置制御機構１３０を機械的に安定させるために、かつ、可能であれば鉛直方向支柱１１５に沿ったガイド１４７Ａの移動を可能にするために提供可能である。１つ（または複数）のショックアブソーバ１４７Ｅを異なる場所に設けて（チェーン１４０Ｂの部材１４７Ｃとの、可能であれば同様に接続構造物１４６との接続に近い例として示される）、機械的位置制御機構１３０に対する衝撃を減衰させることが可能である。縁部案内要素１４４は、可動支持体１４７Ａの下方に位置決め可能であり、支持体１４７Ａに対するストッパとして機能し得る（図３Ｊを参照）。可動支持体１４７Ａは、様々な手段で１つ（または複数）の支持体１４７Ｂによって案内可能である。１つ（または複数）のロッドおよび／または１つ（または複数）のケーブルおよび／または他の張力印可部材が１つ以上のチェーン１４０に取って代わることが可能である。
【００３２】
図３Ｋは、本発明の一部の実施形態に係る、モータユニット１３５による、および、槽１２０によるチェーン１４０への力の印可のハイレベル概略図の例を示す図である。機械的位置制御機構１３０は、チェーン１４０の相対位置を維持し、かつ、鉛直方向支柱１１５に沿って案内されると槽１２０の水平方向の移動を最小限にしつつ、下部槽１２０を上昇および降下させるように構成されている。特に、機械的位置制御機構１３０は、上昇位置１０１と降下位置１０２との間の制御および移行を行うように構成されている。図２Ａ〜図２Ｃに模式的に示すように、上昇位置１０１では、槽１２０は鉛直方向支柱１１５に沿って移動され（移動１０１Ａ）、降下位置１０２では、槽１２０は、鉛直方向支柱１１５に自由に接続されており、これらに衝撃を与えることなく鉛直方向支柱１１５の下方で水平方向に移動し得る（移動１０２Ｂ）。移行自体の間は、機械的位置制御機構１３０は、槽１２０を支柱１１５に係合するような（１０２→１０１）正確な態様で力を印可して、この移行を行うために必要な大きな力を印可しつつこれらを損傷することなく、空隙１２１内に支柱１１５を嵌合するように構成されている。機械的位置制御機構１３０はさらに、槽１２０および支柱１１５への損傷を避けつつ反対方向の移行（１０１→１０２）を行うように構成されている。例示的な計算では、図３ＫにおいてＦＣと印を付けられた力は６００〜１２００トンに達し、可動支持体１４７Ａにかかる鉛直力の鉛直成分は、３００〜７００トンに達し得る。そのため、機械的位置制御機構１３０は、そのような大きな力の確実で正確な印可を可能にするように構成され得る。槽１２０の支柱１１５に対する衝撃を防ぐために、正確な角度を維持可能であることが強調される。
【００３３】
図３Ｌは、本発明の一部の実施形態に係る、可動ガイド１４７Ａの位置を制御するための位置決め機構１３４の概略図である。図示された位置決め機構１３４は、たとえば、上述の図３Ｋにおいて模式的に示された力の計算から、リアルタイム測定、シミュレーションなどから導き出されるように、槽１２０と鉛直方向支柱１１５との間の接触を防ぐために好適な高さで可動ガイド１４７Ａを位置決めするように構成され得る。たとえば、位置決め機構１３４は、可動ガイド１４７Ａを槽１２０の上方の一定の高さに位置決めするように、すなわち、槽１２０が上昇されると可動ガイド１４７Ａを上昇させ、槽１２０が降下されると可動ガイド１４７Ａを降下させるように構成され得る。位置決め機構１３４は、鉛直方向支柱１１５に沿って可動ガイド１４７Ａの高さを制御するために、（たとえば、モータユニット１３５から独立した）モータユニット１３６と、（非例示的な例として）閉鎖チェーンループ１４１とを備え得る。
【００３４】
図３Ｍ〜図３Ｏは、本発明の一部の実施形態に係る、機械的位置制御機構１３０の要素の概略図である。一部の実施形態では、機械的位置制御機構１３０は、ケーブル１４０（たとえば、マルチワイヤケーブル）を用いるように構成され得、可能であれば、チェーン１４０に換えてまたはこれらに加えて、シーブシステムを有する。たとえば１つ（または複数）の持ち上げ補償機１４９Ｂを介してケーブル１４０を槽１２０に固定するために、対応するウインチを使用して、ＦＣに対する各ケーブルにおける力を低減可能である。槽１２０は、ガイド１４７Ｂ、および可能であればグリッパおよび／またはブレーキ１４９Ａを移動制限器として使用して、支柱１１５に沿って案内可能である。自在継手などの継ぎ手１４９によって支柱１１５および槽１２０に接続可能なショックアブソーバ１４９Ｄ（たとえば、図示しないチェーン駆動装置および／またはプーリシステムによって接続され移動可能な油圧ショックアブソーバ）を有するシャフト（１つ（または複数）の径方向および／または軸方向ベアリング）を含み得る稼動組立品１４９Ｃによって、ガイド１４７Ｂを槽１２０と対応付けることができる。たとえば、図３Ｎは、側面図およびＡ−Ａと記された表面からの上面図において本発明の特定の実施形態に係る可動組立品１４９Ｃの構成を示す概略図である。図３Ｏは、ガイド１４７Ｂに沿ってガイドおよびローラー１４７Ｆによって移動される可動組立品１４９Ｃの代替的な構成を示す概略図である。
【００３５】
図４Ａ〜図４Ｄは、本発明の一部の実施形態に係る、剛性槽組立品１２０における槽構成を示すハイレベル概略図である。剛性槽組立品１２０は、槽グリッド１２６によって隔てられた複数の槽１２０Ａ、１２０Ｂ、１２０Ｃ、１２０Ｄなどを含むが、これらは非制限的な態様で概略的に示されており、剛性であり得る、または、少なくとも部分的に可撓性であり得る。剛性槽組立品１２０は、剛性槽組立品１２０のバックボーンを提供する接続部材１２４、および養殖槽１２０Ａ、１２０Ｂなどを画成する複数の槽グリッド１２６を収容するように構成された複数のレール１２４Ａ、１２４Ｂを有する枠組み１２２を含み得る。槽グリッド１２６は、それぞれの槽における養殖において動物を維持するように構成された剛性または可撓性ネット１２５によって覆われ得る。対応する枠組み１２４は、場合によっては槽グリッド１２６を対応するレール１２４Ａ、１２４Ｂなどに導入することによって槽の体積を調整可能なモジュール態様で、槽グリッド１２６を収容するように構成された支持レール１２４Ａ、１２４Ｂなどを支持するように構成され得る（図４Ｃ）。レール１２４Ａ、１２４Ｂのうちの少なくとも一部は、前の槽グリッド１２６を除去する前に追加の槽グリッド１２６を導入することによって、槽１２０Ａ、１２０Ｂ、１２０Ｃ、１２０Ｄなどを解体することなく、対応する槽グリッド１２６を交換できるように構成された二重レール１２４Ａ、１２４Ｂでもよい（図４Ｄ）。なお、図４Ｃでは、空のレール１２４Ａは、（図示する）前の槽グリッド１２６を占有されたレール１２４Ｂ内に維持しつつ、必要であれば、追加の槽グリッド１２６（図示せず）の収容に備えている。枠組み１２２、１２４は、上昇位置１０１と降下位置１０２との間で全体に機械的に剛性槽組立品１２０を上昇および降下させると、および、外洋養殖システム１００の通常の沖合での動作中に、剛性槽組立品１２０とレール１２４Ａ、１２４Ｂとを槽グリッド１２６で機械的に支持するように構成され得る。なお、剛性槽組立品１２０は、モジュラー形状または非モジュラー形状のいずれでも構成可能である。なお、レール１２４Ａ、１２４Ｂは、槽組立品１２０の特定の実施形態において使用可能である一方で、他の実施形態は、槽グリッド１２６の一部もしくは全ての恒久的な組立品、または、少なくとも一部の槽グリッド１２６の組立品を、上述の態様とは異なる態様で含み得る。
【００３６】
図５は、本発明の一部の実施形態に係る、外洋養殖システム１００において魚介類を扱うために使用される可動槽床１５０のハイレベル概略図である。剛性槽組立品１２０は、槽１２０のうちの少なくとも一部において体積の変更および適合が可能になるように構成され得る。槽１２０の体積および深さは、特定の養殖の使用にしたがって、すなわち、槽で成長した動物の種類、それらの成長段階および必要とされる状態（海の状態、濃度状態など）に従って適合可能である。また、剛性槽組立品１２０は、異なる成長段階を支えるために、必要であれば槽の修理を可能にするために、かつ、制御された安全な態様で魚介類を収穫するために、養殖している魚介類または他の種類の動物の槽（１２０Ａ）から槽（１２０Ｂ）への移動（１５９）を可能にするように構成され得る。養殖槽１２０Ａの少なくとも一部は、制御ユニット１６０によって制御可能な、仕切り位置決め装置１５２によって槽１２０Ａ（たとえば、支持部材を有するローラー）に接続された鉛直方向可動仕切り１５０を含み得る。鉛直方向可動仕切り１５０は、平行であり得る、または傾斜し得、その底部に回転ドア機構を有し得る。鉛直方向可動仕切り１５０は、指定された開口部（たとえば、着脱可能な槽グリッド１２６または槽グリッド部分）を通じて魚介類を槽から槽へ移動させることができる。仕切り１５０は、可能であれば機械的位置制御機構１３０と関連して１つ（または複数）のモータとチェーンとによって移動され得る。仕切り１５０の移動は、魚介類を保護して状態の変化を漸進的なものにするために、剛性槽組立品１２０の移動（たとえば、上昇位置１０１から降下位置１０２へ）と調整可能である。たとえば、荒海の予報が出ると、魚介類を１つ（または複数）の仕切り１５０によって槽内で降下させてもよく、この予報が現実であった場合、１つ（または複数）の仕切り１５０が一時的に上昇させられる一方で剛性槽組立品１２０は降下されて、魚介類の収容に多くの時間を割り当てることができる。最終的に、（たとえば、降下位置１０２において）最大深さが必要な場合、１つ（または複数）の仕切り１５０を降下位置１０２にまで降下可能である。１つ（または複数）の仕切り１５０はさらに、各槽内の魚介類の種類または大きさを制御するために使用可能である。
【００３７】
魚介類は、たとえば、吸上げ、汲上げなどの様々な方法を用いて、クレーンを用いて、ねじポンプを用いて取出されてもよい。外洋養殖システム１００はさらに、大きさによって魚介類を仕分け、魚介類が成長するに従ってそれらの大きさに応じて槽１２０Ａ、１２０Ｂの間で移動させるように配置された仕分けシステム（図示せず）を備えてもよい。メンテナンス設備１１１は、たとえば、槽および魚介類を監視するためのコンピュータ化されたセンターを含んでもよく（視覚的に、化学工程により、および／または酸素、温度、塩分センサなどの環境センサを使用して）、魚介類の生物量を測定し、給餌プロセスを管理および制御し、病気の兆候を検出し、乗組員が養殖を継続的に監督できるようにする。沖合外洋養殖システム１００はさらに、槽が水中にある状態で、乗組員が、部品の解体および取替えなどのメンテナンスを２４時間行うことができるようにする設備１１１を含み得る。半潜水型プラットフォーム１１０はさらに、備品および魚介類の搬送を可能にする船係留施設と、ヘリコプター着陸地とを含み得る。
【００３８】
図６は、本発明の一部の実施形態に係る外洋養殖方法２００を説明するハイレベルフローチャートである。方法２００はシステム１００によって実現され得、システムは、方法２００を作用させるように構成され得る。列挙された段階の一部は任意であり、これらの段階の順番は、動作を考慮して変更可能である。
【００３９】
方法２００は、養殖槽の剛性組立品を、複数の鉛直方向支柱を含む半潜水型プラットフォームに機械的に接続すること（段階２０２）を含み、半潜水型プラットフォームは、養殖を支えるために保管およびメンテナンス設備を有するように構成される（段階２０４）。剛性組立品は、半潜水型プラットフォームの対応する鉛直方向支柱を収容するように形成された複数の鉛直方向空洞を含むように構成される（段階２１０）。
【００４０】
方法２００はさらに、剛性組立品と半潜水型プラットフォームとの間に少なくとも２つの動作位置を含む制御可能な相対位置を設けるように、機械的な接続を構成すること（段階２２０）を備える。これらの動作位置は、当該位置における鉛直方向位置調節を可能にしつつ（段階２３５）剛性組立品の水平方向移動を制限するために（段階２３２）、剛性組立品に鉛直方向空洞において対応する鉛直方向支柱を取り囲ませるように構成された（段階２３０）上昇位置、および、剛性組立品を対応する鉛直方向支柱の下方に位置させるように構成されて（段階２４０）、降下位置における剛性組立品の水平方向および鉛直方向の移動をある程度可能にする（段階２４５）降下位置である。
【００４１】
方法２００はさらに、剛性組立品と半潜水型プラットフォームとの間の相対位置を制御して（段階２５０）、特定の荒海の状態が発生すると、もしくは必要に応じて他のときにおいて、剛性組立品を上昇位置から降下位置に移動させ、特定の状態が発生すると、剛性組立品を降下位置から上昇位置に移動させることと（段階２６０）、穏やかな海などの特定の状態が発生すると、剛性組立品を降下位置から上昇位置に移動させること（段階２７０）とを備える。
【００４２】
方法２００はさらに、剛性組立品を降下位置から上昇位置に上昇させると、剛性組立品の鉛直方向空洞の上部開口部を半潜水型プラットフォームの対応する鉛直方向支柱の底部に向けて案内すること（段階２８０）を備え得る。
【００４３】
方法２００はさらに、剛性組立品をプラットフォーム上の少なくとも１つのモータユニットに接続する複数のチェーンを含むように、機械接続を構成すること（段階２９０）と、制御可能にチェーンの解除および回収を行うように、少なくとも１つのモータユニットを構成すること（段階２９５）とを備え得る。
【００４４】
方法２００はさらに、少なくとも１つのモータユニットでチェーンを引っ張ることによって剛性組立品を降下位置から上昇位置に上昇させると、剛性組立品の鉛直方向空洞の上部開口部を半潜水型プラットフォームの対応する鉛直方向支柱の底部に対して位置決めするように選択された対応する複数の取付位置において、チェーンを剛性組立品に接続すること（段階３００）を備え得る。
【００４５】
方法２００はさらに、チェーンを、半潜水型プラットフォームの対応する鉛直方向支柱の少なくとも下側部分に沿って案内すること（段階３０５）を備え得る。
【００４６】
特定の実施形態では、方法２００はさらに、養殖槽を画成する複数の槽グリッドを収容するように構成された複数のレールを有するように、剛性組立品を構成すること（段階３１０）を備え得る。方法２００はさらに、槽を解体することなく対応する槽グリッドの取り替えを可能にするダブルレールとして、レールの少なくとも一部を構成すること（段階３１５）を備え得る。レールの使用は任意の特徴であり、方法２００は、段階３１０および３１５がなくても実施可能である。方法２００はさらに、槽の体積を制御するために、魚介類を槽から槽へ移動させるために、および／または、魚介類を槽から取り出すために、養殖槽の少なくとも一部において鉛直方向可動仕切りを構成および使用すること（段階３２０）を備え得る。
【００４７】
上述の説明で、実施形態は、発明の一例または一実施態様である。「一実施形態」、「ある実施形態」、「特定の実施形態」または「一部の実施形態」という様々な記載は、必ずしも全てが同じ実施形態を指すわけではない。発明の様々な特徴について１つの実施形態の文脈で説明されてもよいが、これらの特徴は、別々にまたは任意の好適な組合せで提供されてもよい。逆に、発明は、理解を容易にするために別々の実施形態の文脈で説明されてもよいが、本発明を１つの実施形態において実現してもよい。発明の特定の実施形態は、上記に開示した異なる実施形態の特徴を含んでもよく、特定の実施形態は、開示した他の実施形態の要素を組み込んでもよい。特定の実施形態の文脈で発明の要素が開示されていても、それらの使用を特定の実施形態のみに限定するとみなすべきではない。さらに、発明は、さまざまな形で行う、または実施することができること、および、発明は、上記の説明に要約されたもの以外の特定の実施形態で実施可能であることを理解されたい。
【００４８】
発明は、上記の図または対応する説明に限定されない。たとえば、フローは、図示された各ボックスもしくは状態、または、図示および説明が行われたものと全く同じ順で進む必要はない。明細書中で用いられる技術用語および科学用語の意味は、特に規定がない限り、発明の属する分野の当業者により一般的に理解されるとおりである。限定的な数の実施形態について発明を説明したが、これらは、発明の範囲に対する限定事項としてではなく、好ましい実施形態の一部の例示として解釈されるべきである。他の可能な変形、変更、および適用もまた、本発明の範囲内である。したがって、本発明の範囲は、説明が行われたものによって限定されるべきではなく、添付の請求項の範囲とそれらの法律上の均等物によって制限されるべきである。
【図１Ａ】
2019535243.tif 000003
【図１Ｂ】
2019535243.tif 000004
【図１Ｃ】
2019535243.tif 000005
【図１Ｄ】
2019535243.tif 000006
【図１Ｅ】
2019535243.tif 000007
【図１Ｆ】
2019535243.tif 000008
【図１Ｇ】
2019535243.tif 000009
【図２Ａ】
2019535243.tif 000010
【図２Ｂ】
2019535243.tif 000011
【図２Ｃ】
2019535243.tif 000012
【図３Ａ】
2019535243.tif 000013
【図３Ｂ】
2019535243.tif 000014
【図３Ｃ】
2019535243.tif 000015
【図３Ｄ】
2019535243.tif 000016
【図３Ｅ】
2019535243.tif 000017
【図３Ｆ】
2019535243.tif 000018
【図３Ｇ】
2019535243.tif 000019
【図３Ｈ】
2019535243.tif 000020
【図３Ｉ】
2019535243.tif 000021
【図３Ｊ】
2019535243.tif 000022
【図３Ｋ】
2019535243.tif 000023
【図３Ｌ】
2019535243.tif 000024
【図３Ｍ】
2019535243.tif 000025
【図３Ｎ】
2019535243.tif 000026
【図３Ｎ−１】
2019535243.tif 000027
【図３Ｏ】
2019535243.tif 000028
【図４Ａ】
2019535243.tif 000029
【図４Ｂ】
2019535243.tif 000030
【図４Ｃ】
2019535243.tif 000031
【図４Ｄ】
2019535243.tif 000032
【図５】
2019535243.tif 000033
【図６】
2019535243.tif 000034
【図６−１】
2019535243.tif 000035
【図６−２】
2019535243.tif 000036
【図６−３】
2019535243.tif 000037
【国際調査報告】
2019535243.tif 000038
2019535243.tif 000039
2019535243.tif 000040